(57)【特許請求の範囲】
【請求項１】
略皿状の外形を有する下ケース内のコーナー部に緩衝部材を配し、前記下ケースの略中央部に箱状に成形され上下両面に貫通開口部をもつ段ボール台を前記緩衝部材により挟持して設け、前記段ボール台の貫通開口部に相対した一対の緩衝保持部材を挿入固定する電気機器、ガス機器の包装装置において、前記緩衝保持部材は上下方向に段差部を有し、前記段差部を前記段ボール台上面の係止部に当接して固定した電気機器、ガス機器の包装装置。
【発明の詳細な説明】
【０００１】
【発明の属する技術分野】
本発明は、電気機器、ガス機器などを支持、載置し、保護する電気機器、ガス機器などの包装装置に関するものである。
【０００２】
【従来の技術】
一般的に電気機器やガス機器などの被梱包機器を梱包する場合においては、被梱包機器が内部で動かないように、かつ落下や振動による衝撃、外部からの衝撃などから保護することを目的として種々の緩衝材と共に段ボール箱に収納して、輸送時や保管時等における機器の保護が図られている。
【０００３】
比較的重量のある洗濯機等の被梱包機器の場合には、通常、機器本体を台座に支持載置させ、上部に別の緩衝材を設け、段ボール箱を被せて梱包する方法が採られている。
【０００４】
従来の包装装置は、上部が開口した段ボール製の箱体の内部に、適宜形状に成形した発泡スチロール等の発泡プラスチックを配置した梱包用台座に、被包装機器を載置し、さらに、天面あるいは、側面にも前記発泡プラスチックを配置し、外面には、段ボール製の箱体を被せている。
【０００５】
発泡プラスチックは、機器を保護するための緩衝機能に優れた材料であり、しかも容易に、各種機器の形状にあわせて成形することができ、梱包材への収納効率を高くできる利点がある。
【０００６】
【発明が解決しようとする課題】
しかしながら、発泡プラスチックはその材質自体極めて優れた特性を有するものの、近時では梱包用緩衝材として使用した後の処理の点で種々の問題点を含んでいる。また、発泡プラスチック製の包装部材は、きわめて嵩だかくなり、輸送効率が低く、輸送費が高くなると共に保管スペースに広い場所を必要とする欠点も有していた。
【０００７】
そういった状況の中、発泡プラスチックに代替するものとして、紙系の包装仕様の開発が推進されてきたが、従来の発泡プラスチックに相当する緩衝性を有する材料の開発には至らず、また、近い性能を保持するには高いコストをかけざるを得ない状況であり、環境対応した低コストの緩衝形態を開発することが望まれていた。
【０００８】
本発明は上記従来の課題を解決するもので、紙系材料を主として、一部緩衝性を必要とする部分を中心に発泡スチロール等の成形部材を最小限使用して被梱包機器を保持するようにし、緩衝性、耐圧性に優れ、包装品質を確実に確保しながら安価にすることを目的としている。
【０００９】
【課題を解決するための手段】
本発明は上記目的を達成するために、略皿状の外形を有する下ケース内のコーナー部に緩衝部材を配し、下ケースの略中央部に箱状に成形され上下両面に貫通開口部をもつ段ボール台を緩衝部材により挟持して設け、段ボール台の貫通開口部に相対した一対の緩衝保持部材を挿入固定し、この緩衝保持部材は上下方向に段差部を有し、段差部を段ボール台上面の係止部に当接して固定したものである。
【００１０】
これにより、緩衝保持部材と段ボールで構成した段ボール台との組み合わせにて、使用時には被梱包機器を確実に固定保持することができる。
【００１１】
【発明の実施の形態】
本発明の請求項１に記載の発明は、略皿状の外形を有する下ケース内のコーナー部に緩衝部材を配し、前記下ケースの略中央部に箱状に成形され上下両面に貫通開口部をもつ段ボール台を前記緩衝部材により挟持して設け、前記段ボール台の貫通開口部に相対した一対の緩衝保持部材を挿入固定する電気機器、ガス機器の包装装置において、前記緩衝保持部材は上下方向に段差部を有し、前記段差部を前記段ボール台上面の係止部に当接して固定したものであり、緩衝保持部材と段ボールで構成した段ボール台との組み合わせにて、使用時には被梱包機器を確実に固定保持することができる。
【００１２】
【実施例】
以下、本発明の一実施例について、図面を参照しながら説明する。
【００１３】
図１に示すように、下ケース１１は、台座１を構成するもので、段ボールシートで略皿状の外形を有するように構成し、この下ケース１１のコーナー部に、図２に示すように、発泡スチロール等で形成した、緩衝部材１２を配置している。下ケース１１の中央部には、箱状に組み立てた段ボール台１３を設けている。段ボール台１３の端部は、切り込み状に舌部を設け、これを折り込むことにより、接着剤を使用せずに成形している。
【００１４】
段ボール台１３の略中央部に設けた貫通開口部１３ａには、図３に示すように、発泡スチロール等で形成した一対の緩衝保持部材１４を配置している。段ボール台１３は、緩衝部材１２により挟持されており、特に、矢印イ方向の動きが規制されている。矢印ロ方向の動きに対しては、緩衝部材１２の一部に設けた突起部に相対して下ケース１１に凹部を設けて嵌合させて動きを規制している。
【００１５】
緩衝保持部材１４の段ボール台１３へのセットは、図３に示すように、段ボール台１３の下面から矢印方向に舌片１６をガイドとして挿入し、緩衝保持部材１４の段差部１７が段ボール台１３の上面の係止部１８に当接して固定される。また、保護板３４（破線で示す）は、洗濯機本体（被包装機器）２の内部に設けた洗濯槽（内胴部材）３の下部に設けた駆動部（図示せず）を保護するもので、一対の緩衝保持部材１４により挟持して固定している。
【００１６】
洗濯機本体２に設けた洗濯槽３は、その機能を果たすために、ボデー２０に吊り下げているため、ボデー２０の内部にて自由に動く。しかし、梱包においては、固定しなければ、外部からの衝撃で、洗濯槽３が動いてボデー２０に当たり、打痕等のダメージを与えることになる。
【００１７】
そこで、図４に示すように、固定部材４を、洗濯機本体２の上枠２１の開口部２１ａより挿入し、洗濯槽３を洗濯機本体２に固定している。この固定部材４１は、折り曲げ加工により形成した塊状部４１と、略半円板形状の板状部４２と、翼状に形成した段ボール板を折り曲げ壁状に形成した折り曲げ部４３とを１つの段ボールで形成している。２５は操作部である。
【００１８】
上記構成において作用を説明する。梱包時には、まず、図５および図６に示すように、洗濯槽３の内壁３１に固定部材４の塊状部４１の両端部を嵌合状態に挿入する。また、この部分の内壁３１はリブ３２があって、塊状部４１に食い込む形となり、容易には移動せず、確実に固定される。一方、上枠２１の開口部２１ａの中央部より前方内壁に沿って、略半円板形状の板状部４２の端部を、上枠２１の開口部２１ａの内壁２２に嵌合状態で固定する。また、翼状の折り曲げ部４３は、洗濯槽３に設けた内蓋３３の側部より上枠２１の開口部２１ａの奥部壁面に沿って当接配置する。
【００１９】
固定部材４をセットした後、内蓋３３を図５の矢印方向に閉じ、つづいて、外蓋２３を閉じて、固定が完了する。これによって、固定部材４が洗濯槽３と一体となり、洗濯機本体２の上枠２１の内壁２２に当接しているため、洗濯槽３の主に水平方向への動きが規制されて、洗濯槽３が、ボデー２０の内面に当たるのを防ぐことができる。
【００２０】
この状態で、図１に示すように、洗濯機本体２を台座１の上に載置し、洗濯機本体２の底部および脚部を下ケース１１のコーナー部に配置した緩衝部材１２により保持し、洗濯機本体２の内部に設けた洗濯槽３の下部に設けた駆動部（図示せず）を保護板３４により保持する。
【００２１】
洗濯機本体２の上面には、洗濯機本体２の上枠２１に沿う形状の受面を持つ上緩衝部材５を左右に配置し、その上で、上方から段ボール製のケース６を被せ、バンドで周囲を巻装して固定する。
【００２２】
梱包の後、輸送時に外部からの衝撃が加わって、洗濯機本体２内の洗濯槽３に力が加わると、洗濯槽３の上部は固定部材４により洗濯機本体２に固定しているので、外部からの衝撃で、洗濯槽３が動いてボデー２０に当たることがなく、打痕等のダメージを与えることはない。
【００２３】
また、外部からの衝撃により、洗濯機本体２内の洗濯槽３を介して保護板３４に力が加わると、緩衝保持部材１４は変形しようとするが、緩衝保持部材１４はそれ自身の緩衝性に加え、段ボール台１３で確実に保持しており、保護板３４の移動を防止できるとともに、洗濯槽３の移動も防いで、洗濯機本体２へのダメージを防止できる。
【００２４】
また、台座１は、下ケース１１内のコーナー部に緩衝部材１２を配し、下ケース１１の略中央部に段ボール台１３を緩衝部材１２により挟持して設け、段ボール台１３の貫通開口部１３ａに相対した一対の緩衝保持部材１４を挿入固定しているので、紙系材料を主として、一部緩衝性を必要とする部分を中心に発泡スチロール等の成形部材を最小限使用して、洗濯機本体２を保持するようにし、緩衝性、耐圧性に優れ、包装品質を確実に確保しながら安価にすることができる。
【００２５】
また、緩衝保持部材１４は、上下方向に段差を有し、段ボール台１３の上面側開口部は下面側開口部より小さく形成し、段ボールの折り曲げによって形成した舌片を持つ貫通開口部１３ａに挿入し、緩衝保持部材１４の段差部を段ボール台１３の上面の係止部１８に当接して、固定、配置したので、発泡スチロールで構成した緩衝保持部材１４と段ボールで構成した段ボール台１３との組み合わせにて、使用時には洗濯機本体２を確実に固定保持することができ、接着剤等は使用していないため、使用後は容易に分別廃棄することができ、環境面でもきわめて優れた効果を有する。
【００２６】
また、曲げ加工により形成した塊状部４１と、略半円板形状の板状部４２と、翼状に形成した段ボール板を折り曲げ壁状に形成した折り曲げ部４３とを有する固定部材４を１つの段ボールより成形し、固定部材４を上枠２１の内壁２２および洗濯槽３の内壁３１に当接させ、洗濯槽３を固定しているので、固定部材４を１つの段ボールより、切り抜き加工程度で成形することができ、包装品質を確実に確保しながら安価にすることができる。
【００２７】
なお、本実施例では、緩衝部材１２、緩衝保持部材１４などは発泡スチロールで形成しているが、パルプモールド等の紙系材料で構成することも可能であり、同様の作用、効果を得ることができる。
【００２８】
【発明の効果】
以上のように本発明の請求項１に記載の発明によれば、略皿状の外形を有する下ケース内のコーナー部に緩衝部材を配し、前記下ケースの略中央部に箱状に成形され上下両面に貫通開口部をもつ段ボール台を前記緩衝部材により挟持して設け、前記段ボール台の貫通開口部に相対した一対の緩衝保持部材を挿入固定する電気機器、ガス機器の包装装置において、前記緩衝保持部材は上下方向に段差部を有し、前記段差部を前記段ボール台上面の係止部に当接して固定したから、緩衝保持部材と段ボールで構成した段ボール台との組み合わせにて、使用時には被梱包機器を確実に固定保持することができる。
【図面の簡単な説明】
【図１】  本発明の一実施例の電気機器、ガス機器などの包装装置の分解斜視図
【図２】  同電気機器、ガス機器などの包装装置の台座の拡大斜視図
【図３】  同電気機器、ガス機器などの包装装置の台座の要部拡大斜視図
【図４】  同電気機器、ガス機器などの包装装置の固定部材を外した状態の一部切欠した分解斜視図
【図５】  同電気機器、ガス機器などの包装装置の固定部材を取り付けた状態の一部切欠した斜視図
【図６】  同電気機器、ガス機器などの包装装置の固定部材を取り付けた状態の要部拡大断面図
【符号の説明】
１１  下ケース
１２  緩衝部材
１３  段ボール台
１３ａ  貫通開口部
１４  緩衝保持部材
【図１】
0004670176.tif 000002
【図２】
0004670176.tif 000003
【図３】
0004670176.tif 000004
【図４】
0004670176.tif 000005
【図５】
0004670176.tif 000006
【図６】
0004670176.tif 000007